(57)【要約】【課題】  熱電冷却チップ空気調和機の提供。【解決手段】  空気調和機本体内に取り付けられる基本部品が、熱電冷却チップ、冷熱超導管、フィン、温度制御器及びファンを具え、熱電冷却チップ処理により発生した冷或いは熱を、冷熱超導管により障害なく伝送し、更にフィンにより冷度或いは熱エネルギーを保存し、温度制御器が使用するインタフェースに設けられた押しボタンにより必要な恒温、或いは温度の昇降が制御され、その後、ファンの送風によりフィンに保存された冷度或いは熱エネルギーが奪われて送出され、冷房暖房機能が短時間内に必要な冷気或いは暖気を達成することをその特徴とする。【選択図】        図２
0003114014.tif 000002
【実用新案登録請求の範囲】
【請求項１】
熱電冷却チップ空気調和機において、空気調和機本体内に取り付けられる基本部品が、熱電冷却チップ、冷熱超導管、フィン、温度制御器及びファンを具え、熱電冷却チップ処理により発生した冷或いは熱を、冷熱超導管により障害なく伝送し、更にフィンにより冷度或いは熱エネルギーを保存し、温度制御器が使用するインタフェースに設けられた押しボタンにより必要な恒温、或いは温度の昇降が制御され、その後、ファンの送風によりフィンに保存された冷度或いは熱エネルギーが奪われて送出され、冷房暖房機能が短時間内に必要な冷気或いは暖気を達成することをその特徴とする、熱電冷却チップ空気調和機。
【請求項２】
請求項１記載の熱電冷却チップ空気調和機において、基本部品が一組に組み合わされて冷暖エネルギーの大きさにより、一組或いは複数組の基本部品が組み合わされて全体の空気調和機とされたことを特徴とする、熱電冷却チップ空気調和機。
【請求項３】
請求項１記載の熱電冷却チップ空気調和機において、空気調和機本体が省略され、各基本部品が建築物のインテリアに組み合わされて、それぞれ建築物の所定部分或いは位置に取り付けられて内蔵形の空気調和機を形成し、インテリアの美化と冷暖気供給を達成することを特徴とする、熱電冷却チップ空気調和機。
【請求項４】
請求項１記載の熱電冷却チップ空気調和機において、温度制御器が冷度温度制御器と熱度温度制御器に分けて設けられ、それぞれ必要な冷熱温度に制御するのに用いられることを特徴とする、熱電冷却チップ空気調和機。
【考案の詳細な説明】
【技術分野】
【０００１】
本考案は一種の熱電冷却チップ空気調和機に係り、特に、セラミック熱電冷却チップを冷熱超導管に結合する作用原理により製作され、冷媒、圧縮機或いは加熱器を使用せずに、冷暖房と恒温等の使用に必要な冷気、暖気を達成することができるものに関する。
【背景技術】
【０００２】
科学技術が勃興し発展した時代にあって、科学技術製品の多くは逆に人類の健康に影響を与え、発癌比率の上昇や現代病の増加をもたらし、さらには環境汚染を形成し、地球のオゾン層を破壊し、人類に対する脅威を形成している。ハイテクノロジー工業の使用するエネルギー源は、石油の枯渇、使用コストアップをもたらすほか、正解をエネルギー恐慌に陥れる主要な原因となっている。周知の空気調和機に関しては、圧縮機と冷媒を使用して冷暖房の使用機能を達成し、冷媒の長期使用は空気中のオゾン層を破壊して温室効果を形成するため、世界の全ての関係科学専門家は警鐘を与えている。このほか、一般に圧縮機の騒音とその高い電力消耗量は生活環境の品質とエネルギー資源の供給に大きな影響を与え得るほか、その体積は大きく、また重く、通常二人で搬送と取り付けを行なわねばならず、このため節電でき自然環境を破壊せず、且つコンパクトで移動と取り付けに便利な空気調和機が求められている。
【考案の開示】
【考案が解決しようとする課題】
【０００３】
本考案の目的は、前述の周知の圧縮機と冷媒を使用した空気調和機が自然を破壊し、人体の健康に影響を及ぼし、電力消耗が大きく、体積が大きく、重く、搬送と取り付けに人力を費やすという各種の欠点を解決するため、一種の熱電冷却チップ空気調和機を提供することにある。
【課題を解決するための手段】
【０００４】
請求項１の考案は、熱電冷却チップ空気調和機において、空気調和機本体内に取り付けられる基本部品が、熱電冷却チップ、冷熱超導管、フィン、温度制御器及びファンを具え、熱電冷却チップ処理により発生した冷或いは熱を、冷熱超導管により障害なく伝送し、更にフィンにより冷度或いは熱エネルギーを保存し、温度制御器が使用するインタフェースに設けられた押しボタンにより必要な恒温、或いは温度の昇降が制御され、その後、ファンの送風によりフィンに保存された冷度或いは熱エネルギーが奪われて送出され、冷房暖房機能が短時間内に必要な冷気或いは暖気を達成することをその特徴とする、熱電冷却チップ空気調和機としている。
請求項２の考案は、請求項１記載の熱電冷却チップ空気調和機において、基本部品が一組に組み合わされて冷暖エネルギーの大きさにより、一組或いは複数組の基本部品が組み合わされて全体の空気調和機とされたことを特徴とする、熱電冷却チップ空気調和機としている。
請求項３の考案は、請求項１記載の熱電冷却チップ空気調和機において、空気調和機本体が省略され、各基本部品が建築物のインテリアに組み合わされて、それぞれ建築物の所定部分或いは位置に取り付けられて内蔵形の空気調和機を形成し、インテリアの美化と冷暖気供給を達成することを特徴とする、熱電冷却チップ空気調和機としている。
請求項４の考案は、請求項１記載の熱電冷却チップ空気調和機において、温度制御器が冷度温度制御器と熱度温度制御器に分けて設けられ、それぞれ必要な冷熱温度に制御するのに用いられることを特徴とする、熱電冷却チップ空気調和機としている。
【考案の効果】
【０００５】
本考案の熱電冷却チップ空気調和機は、セラミック熱電冷却チップ、フィン、冷熱超導管、温度制御器及びファンを具え、熱電冷却チップ処理により発生した冷或いは熱を、冷熱超導管により障害なく伝送し、更にフィンにより冷度或いは熱エネルギーを保存し、温度制御器が使用するインタフェースに設けられた押しボタンにより必要な恒温、或いは温度の昇降が制御され、その後、ファンの送風により、冷気或いは暖気が冷暖気吹き出し口より送出され、空気調和機の冷度或いは熱エネルギーに単時間内に必要な使用程度を達成させ、その構造は周知の圧縮機と冷媒を必要とせず、これにより空気調和機本体が軽量薄型とされて取り付けが容易で、使用に便利で且つ節電でき、且つ環境公害を形成しないものとされ、新規性と進歩性を有し、実用新案登録の要件に符合するものとされる。
【考案を実施するための最良の形態】
【０００６】
図１は本考案の外観図であり、図中、空気調和機本体１の正面に電源スイッチ２と温度制御器３が設けられ、並びにパネル４が取り付けられ、該パネル４に冷暖気吹き出し口４１が設けられている。
【０００７】
図２は本考案の前述の空気調和機本体１内に取り付けられる部品表示図である。その基本構造は、熱電冷却チップ５、冷熱超導管６、フィン７、温度制御器３、及びファン８を具えている。該熱電冷却チップ５は本考案においてはセラミックチップを実施例として採用し、熱電冷却チップ５処理により発生する冷或いは熱が、冷熱超導管６により障害なく伝送され、更にフィン７により冷度或いは熱エネルギーが保存され、温度制御器３が使用するインタフェースに設けられた押しボタンにより必要な恒温、或いは温度の昇降が制御され、その後、ファン８の送風により、フィン７に保存された冷気或いは暖気が奪われて、冷暖気吹き出し口４１を通り送出され、これにより冷暖房機能に短時間内に必要な冷気或いは熱気温度を達成させる。
【０００８】
本考案は実施例にあって、その内部に圧縮機と冷媒を取り付ける必要がないが、冷気或いは暖気の使用効果を達成でき、その現出する温度は摂氏−５度から８５度の間とされ、随時に調整可能で、使用上、非常に便利であり、地球のオゾン層を破壊しないのみならず、環境公害を形成せず、周知の冷媒と圧縮機を使用した空気調和機と比較すると、本考案の節電効果は８０％〜９０％の使用電力を節約できる。
【０００９】
本考案の実施例にあって、図３に示されるように、前述の本考案の空気調和機本体１内には複数組の相互に接続された熱電冷却チップ５、冷熱超導管６、フィン７、温度制御器３及びファン８を取り付けることができ、その温度制御器３はまた冷度温度制御器３１と熱度温度制御器３２に分けて設けてそれぞれ必要な冷熱温度に制御するのに用いることができる。
【００１０】
これにより、本考案はエネルギー資源危機防止に対して非常に大きな助けとなり、製造上、体積が大きく重い圧縮機と冷媒管アクセサリを免除でき、製造された製品を軽量で薄型とでき且つ取り付けが容易とすることができ、さらには本体を免除して建築物のインテリアに組み合わせ、その主要な構成部品を建築物インテリアに取り付けていわゆる内蔵式空気調和機となすことができ、外観がよく実用的な効果を達成することができ、その構造は従来にはなく、新規性を有している。
【００１１】
総合すると、本考案の熱電冷却チップ空気調和機は、ハイテクノロジー製品と空気調和機を相互に結合させた考案であり、それは熱電冷却チップの処理により冷或いは熱を発生し、更に冷熱超導管で障害なくそれを伝導し、更にフィンの冷却原理が空気調和機に結合されて、空気調和機を圧縮機と冷媒不要で必要な冷気或いは暖気を獲得できるものとし、それは地球オゾン層を破壊せず公害を形成せず、騒音による環境への影響を発生せず、また電気製品の体積を薄型化して軽量とし取り付けを容易とし、更に８０％〜９０％の電力使用量を節約できる。本考案の構造は従来にはなく、新規性と進歩性を具え、且つその使用効果が高められており、実用価値を具えている。
【図面の簡単な説明】
【００１２】
【図１】本考案の外観図である。
【図２】本考案の前述の空気調和機本体１内に取り付けられる部品表示図である。
【図３】本考案の実施例表示図である。
【符号の説明】
【００１３】
１  本体
２  電源スイッチ
３  温度制御器
３１  冷度温度制御器
３２  熱度温度制御器
４  パネル
４１  冷暖気吹き出し口
５  熱電冷却チップ
６  冷熱超導管
７  フィン
８  ファン
【図１】
0003114014.tif 000003
【図２】
0003114014.tif 000004
【図３】
0003114014.tif 000005
【手続補正書】
【提出日】平成17年7月11日(2005.7.11)
【手続補正１】
【補正対象書類名】実用新案登録請求の範囲
【補正対象項目名】全文
【補正方法】変更
【補正の内容】
【実用新案登録請求の範囲】
【請求項１】
熱電冷却チップ空気調和機において、空気調和機本体内に取り付けられる基本部品が、熱電冷却チップ、冷熱超導管、フィン、温度制御器及びファンを具え、該熱電冷却チップとフィンは冷熱超導管の両端に接続され、温度制御器がフィン周辺の所定位置に固定され、熱電冷却チップ処理により発生した冷熱或いは熱を、冷熱超導管により障害なく伝送し、更にフィンにより冷度或いは熱エネルギーを保存し、温度制御器が使用するインタフェースに設けられた押しボタンにより必要な恒温、或いは温度の昇降が制御され、その後、ファンの送風によりフィンに保存された冷度或いは熱エネルギーが奪われて送出され、冷房暖房機能が短時間内に必要な冷気或いは暖気を達成することをその特徴とする、熱電冷却チップ空気調和機。
【請求項２】
請求項１記載の熱電冷却チップ空気調和機において、基本部品が一組に組み合わされて冷暖エネルギーの大きさにより、一組或いは複数組の基本部品が組み合わされて全体の空気調和機とされたことを特徴とする、熱電冷却チップ空気調和機。
【請求項３】
請求項１記載の熱電冷却チップ空気調和機において、熱電冷却チップ空気調和機の基本部品で建築物のインテリアに組み合わされて、それぞれ建築物の所定部分或いは位置に取り付けられて内蔵形の空気調和機を形成し、インテリアの美化と冷暖気供給を達成することを特徴とする、熱電冷却チップ空気調和機。
【請求項４】
請求項１記載の熱電冷却チップ空気調和機において、温度制御器が冷度温度制御器と熱度温度制御器に分けて設けられ、それぞれ必要な冷熱温度に制御するのに用いられることを特徴とする、熱電冷却チップ空気調和機。
【手続補正２】
【補正対象書類名】明細書
【補正対象項目名】全文
【補正方法】変更
【補正の内容】
【考案の詳細な説明】
【技術分野】
【０００１】
本考案は一種の熱電冷却チップ空気調和機に係り、特に、セラミック熱電冷却チップを冷熱超導管に結合する作用原理により製作され、冷媒、圧縮機或いは加熱器を使用せずに、冷暖房と恒温等の使用に必要な冷気、暖気を達成することができるものに関する。
【背景技術】
【０００２】
科学技術が勃興し発展した時代にあって、科学技術製品の多くは逆に人類の健康に影響を与え、発癌比率の上昇や現代病の増加をもたらし、さらには環境汚染を形成し、地球のオゾン層を破壊し、人類に対する脅威を形成している。ハイテクノロジー工業の使用するエネルギー源は、石油の枯渇、使用コストアップをもたらすほか、正解をエネルギー恐慌に陥れる主要な原因となっている。周知の空気調和機に関しては、圧縮機と冷媒を使用して冷暖房の使用機能を達成し、冷媒の長期使用は空気中のオゾン層を破壊して温室効果を形成するため、世界の全ての関係科学専門家は警鐘を与えている。このほか、一般に圧縮機の騒音とその高い電力消耗量は生活環境の品質とエネルギー資源の供給に大きな影響を与え得るほか、その体積は大きく、また重く、通常二人で搬送と取り付けを行なわねばならず、このため節電でき自然環境を破壊せず、且つコンパクトで移動と取り付けに便利な空気調和機が求められている。
【考案の開示】
【考案が解決しようとする課題】
【０００３】
本考案の目的は、前述の周知の圧縮機と冷媒を使用した空気調和機が自然を破壊し、人体の健康に影響を及ぼし、電力消耗が大きく、体積が大きく、重く、搬送と取り付けに人力を費やすという各種の欠点を解決するため、一種の熱電冷却チップ空気調和機を提供することにある。
【課題を解決するための手段】
【０００４】
請求項１の考案は、熱電冷却チップ空気調和機において、空気調和機本体内に取り付けられる基本部品が、熱電冷却チップ、冷熱超導管、フィン、温度制御器及びファンを具え、該熱電冷却チップとフィンは冷熱超導管の両端に接続され、温度制御器がフィン周辺の所定位置に固定され、熱電冷却チップ処理により発生した冷熱或いは熱を、冷熱超導管により障害なく伝送し、更にフィンにより冷度或いは熱エネルギーを保存し、温度制御器が使用するインタフェースに設けられた押しボタンにより必要な恒温、或いは温度の昇降が制御され、その後、ファンの送風によりフィンに保存された冷度或いは熱エネルギーが奪われて送出され、冷房暖房機能が短時間内に必要な冷気或いは暖気を達成することをその特徴とする、熱電冷却チップ空気調和機としている。
請求項２の考案は、請求項１記載の熱電冷却チップ空気調和機において、基本部品が一組に組み合わされて冷暖エネルギーの大きさにより、一組或いは複数組の基本部品が組み合わされて全体の空気調和機とされたことを特徴とする、熱電冷却チップ空気調和機としている。
請求項３の考案は、請求項１記載の熱電冷却チップ空気調和機において、熱電冷却チップ空気調和機の基本部品で建築物のインテリアに組み合わされて、それぞれ建築物の所定部分或いは位置に取り付けられて内蔵形の空気調和機を形成し、インテリアの美化と冷暖気供給を達成することを特徴とする、熱電冷却チップ空気調和機としている。
請求項４の考案は、請求項１記載の熱電冷却チップ空気調和機において、温度制御器が冷度温度制御器と熱度温度制御器に分けて設けられ、それぞれ必要な冷熱温度に制御するのに用いられることを特徴とする、熱電冷却チップ空気調和機としている。
【考案の効果】
【０００５】
本考案の熱電冷却チップ空気調和機は、セラミック熱電冷却チップ、フィン、冷熱超導管、温度制御器及びファンを具え、熱電冷却チップ処理により発生した冷熱或いは熱を、冷熱超導管により障害なく伝送し、更にフィンにより冷度或いは熱エネルギーを保存し、温度制御器が使用するインタフェースに設けられた押しボタンにより必要な恒温、或いは温度の昇降が制御され、その後、ファンの送風により、冷気或いは暖気が冷暖気吹き出し口より送出され、空気調和機の冷度或いは熱エネルギーに単時間内に必要な使用程度を達成させ、その構造は周知の圧縮機と冷媒を必要とせず、これにより空気調和機本体が軽量薄型とされて取り付けが容易で、使用に便利で且つ節電でき、且つ環境公害を形成しないものとされ、新規性と進歩性を有し、実用新案登録の要件に符合するものとされる。
【考案を実施するための最良の形態】
【０００６】
図１は本考案の外観図であり、図中、空気調和機本体１の正面に電源スイッチ２と温度制御器３が設けられ、並びにパネル４が取り付けられ、該パネル４に冷暖気吹き出し口４１が設けられている。
【０００７】
図２は本考案の前述の空気調和機本体１内に取り付けられる部品表示図である。その基本構造は、熱電冷却チップ５、冷熱超導管６、フィン７、温度制御器３、及びファン８を具えている。該熱電冷却チップ５とフィン７は冷熱超導管６の両端に接続され、温度制御器３がフィン７周辺の所定位置に固定され、該熱電冷却チップ５は本考案においてはセラミックチップ（Ｔｈｅｒｍｏｅｌｅｃｔｒｉｃ  Ｃｏｏｌｉｎｇ  Ｃｈｉｐ）を実施例として採用し、熱電冷却チップ５の処理により発生する冷熱或いは熱が、冷熱超導管６により障害なく伝送され、更にフィン７により冷度或いは熱エネルギーが保存され、温度制御器３が使用するインタフェースに設けられた押しボタンにより必要な恒温、或いは温度の昇降が制御され、その後、ファン８の送風により、フィン７に保存された冷気或いは暖気が奪われて、冷暖気吹き出し口４１を通り送出され、これにより冷暖房機能に短時間内に必要な冷気或いは熱気温度を達成させる。
【０００８】
本考案は実施例にあって、その内部に圧縮機と冷媒を取り付ける必要がないが、冷気或いは暖気の使用効果を達成でき、その現出する温度は摂氏−５度から８５度の間とされ、随時に調整可能で、使用上、非常に便利であり、地球のオゾン層を破壊しないのみならず、環境公害を形成せず、周知の冷媒と圧縮機を使用した空気調和機と比較すると、本考案の節電効果は８０％〜９０％の使用電力を節約できる。
【０００９】
本考案の実施例にあって、図３に示されるように、前述の本考案の空気調和機本体１内には複数組の相互に接続された熱電冷却チップ５、冷熱超導管６、フィン７、温度制御器３及びファン８を取り付けることができ、その温度制御器３はまた冷度温度制御器３１と熱度温度制御器３２に分けて設けてそれぞれ必要な冷熱温度に制御するのに用いることができる。
【００１０】
これにより、本考案はエネルギー資源危機防止に対して非常に大きな助けとなり、製造上、体積が大きく重い圧縮機と冷媒管アクセサリを免除でき、製造された製品を軽量で薄型とでき且つ取り付けが容易とすることができ、さらには本体を免除して建築物のインテリアに組み合わせ、その主要な構成部品を建築物インテリアに取り付けていわゆる内蔵式空気調和機となすことができ、外観がよく実用的な効果を達成することができ、その構造は従来にはなく、新規性を有している。
【００１１】
総合すると、本考案の熱電冷却チップ空気調和機は、ハイテクノロジー製品と空気調和機を相互に結合させた考案であり、それは熱電冷却チップの処理により冷熱或いは熱を発生し、更に冷熱超導管で障害なくそれを伝導し、更にフィンの冷却原理が空気調和機に結合されて、空気調和機を圧縮機と冷媒不要で必要な冷気或いは暖気を獲得できるものとし、それは地球オゾン層を破壊せず公害を形成せず、騒音による環境への影響を発生せず、また電気製品の体積を薄型化して軽量とし取り付けを容易とし、更に８０％〜９０％の電力使用量を節約できる。本考案の構造は従来にはなく、新規性と進歩性を具え、且つその使用効果が高められており、実用価値を具えている。
【図面の簡単な説明】
【００１２】
【図１】本考案の外観図である。
【図２】本考案の前述の空気調和機本体１内に取り付けられる部品表示図である。
【図３】本考案の実施例表示図である。
【符号の説明】
【００１３】
１  本体
２  電源スイッチ
３  温度制御器
３１  冷度温度制御器
３２  熱度温度制御器
４  パネル
４１  冷暖気吹き出し口
５  熱電冷却チップ
６  冷熱超導管
７  フィン
８  ファン